(57)【要約】【課題】ブラックマトリックスの形成なしに、光漏れ現象を防止することができ、発光領域で生成された光がカラーフィルターを通過せずに白色発光領域を介して放出されることを防止することができるディスプレイ装置を提供すること。【解決手段】本発明によるディスプレイ装置は、表示領域を含む下部基板と、下部基板の表示領域上に並んで位置する白色発光領域、第１非発光領域、第１発光領域、第２非発光領域、及び第２発光領域を含む上部基板と、上部基板の第１発光領域上に位置し、第１非発光領域及び第２非発光領域上に延びる第１カラーフィルターと、上部基板の第２発光領域上に位置し、第２非発光領域上で第１カラーフィルターと重なる第２カラーフィルターとを含み、上部基板の第１非発光領域上での第１カラーフィルターの水平長さは、上部基板の第２非発光領域上での第１カラーフィルターの水平長さよりも長くなるように構成される。【選択図】図２
2018073825.tif 000002
【特許請求の範囲】
【請求項１】
表示領域を含む下部基板と、
前記下部基板の前記表示領域上に並んで位置する白色発光領域、第１非発光領域、第１発光領域、第２非発光領域、及び第２発光領域を含む、上部基板と、
前記上部基板の前記第１発光領域上に位置し、前記第１非発光領域及び前記第２非発光領域上に延びる第１カラーフィルターと、
前記上部基板の前記第２発光領域上に位置し、前記第２非発光領域上で前記第１カラーフィルターと重なる第２カラーフィルターと、
を含み、
前記上部基板の前記第１非発光領域上での前記第１カラーフィルターの水平長さは、前記上部基板の前記第２非発光領域上での前記第１カラーフィルターの水平長さよりも長い、ディスプレイ装置。
【請求項２】
前記上部基板の前記第２非発光領域上において、前記第１カラーフィルターは、前記上部基板と前記第２カラーフィルターとの間に位置する、請求項１に記載のディスプレイ装置。
【請求項３】
前記第２非発光領域の水平長さは前記第１非発光領域の水平長さと同一である、請求項１に記載のディスプレイ装置。
【請求項４】
前記第１カラーフィルターの最大水平長さは前記第２カラーフィルターの最大水平長さよりも長い、請求項３に記載のディスプレイ装置。
【請求項５】
前記下部基板の前記表示領域と重なる前記上部基板の第３発光領域上に位置し、前記白色発光領域と前記第３発光領域との間に位置する第３非発光領域上に延びる第３カラーフィルターをさらに含み、
前記第３カラーフィルターは前記第１カラーフィルターと同じ物質を含む、請求項１に記載のディスプレイ装置。
【請求項６】
前記上部基板の前記第３非発光領域上での前記第３カラーフィルターの水平長さは、前記上部基板の前記第１非発光領域上での前記第１カラーフィルターの水平長さと同一である、請求項５に記載のディスプレイ装置。
【請求項７】
前記第１発光領域の水平長さ及び前記第３発光領域の水平長さは、前記第２発光領域の水平長さよりも小さい、請求項５に記載のディスプレイ装置。
【請求項８】
前記白色発光領域の水平長さは前記第２発光領域の水平長さと同一である、請求項７に記載のディスプレイ装置。
【請求項９】
前記第１発光領域の水平長さと前記第３発光領域の水平長さとの和は、前記第２発光領域の水平長さと同一である、請求項７に記載のディスプレイ装置。
【請求項１０】
前記第１発光領域の水平長さは前記第３発光領域の水平長さよりも小さい、請求項９に記載のディスプレイ装置。
【請求項１１】
前記下部基板の前記表示領域の外側に位置する非表示領域上に位置する下部整列キーと、
前記上部基板上に位置し、前記下部整列キーと整列する上部整列キーとをさらに含み、
前記上部整列キーは、前記第１カラーフィルターと同じ物質を含む、請求項１に記載のディスプレイ装置。
【請求項１２】
前記下部基板の前記表示領域上に位置し、前記上部基板の前記白色発光領域と重なる白色発光構造物と、
前記下部基板の前記表示領域上に位置し、前記上部基板の前記第１発光領域と重なる第１発光構造物と、
前記下部基板の前記表示領域上に位置し、前記上部基板の前記第２発光領域と重なる第２発光構造物と、
前記下部基板の前記表示領域上に位置し、前記上部基板の前記第１非発光領域及び前記第２非発光領域と重なるバンク絶縁膜とをさらに含み、
前記白色発光構造物、前記第１発光構造物、及び前記第２発光構造物は白色発光層を含む、請求項１に記載のディスプレイ装置。
【請求項１３】
互いに異なる色を具現する白色発光領域、第１発光領域、及び第２発光領域が繰り返されて配置される第１行と、
前記白色発光領域、前記第１発光領域、及び前記第２発光領域が前記第１行と同じ順序で配置され、各発光領域が前記第１行とずれて位置する第２行と、
を含み、
前記白色発光領域は、前記第１発光領域によって取り囲まれる、ディスプレイ装置。
【請求項１４】
各行は、前記白色発光領域、前記第１発光領域、及び前記第２発光領域と異なる色を具現する第３発光領域をさらに含み、
前記第１発光領域は青色発光領域であり、前記第２発光領域は緑色発光領域であり、前記第３発光領域は赤色発光領域である、請求項１３に記載のディスプレイ装置。
【請求項１５】
前記白色発光領域の第１側面上に位置する第１発光領域の面積は、前記白色発光領域の前記第１側面と対向する第２側面上に位置する第１発光領域の面積と異なる、請求項１３に記載のディスプレイ装置。
【発明の詳細な説明】
【技術分野】
【０００１】
本発明は、白色発光領域を含み、非発光領域でカラーフィルターが重なり合ってブラックマトリックスの役割を果たすディスプレイ装置に関する。
【背景技術】
【０００２】
一般に、モニタ、ＴＶ、ノートパソコン、デジタルカメラなどのような電子機器は、映像を具現するためのディスプレイ装置を含む。例えば、前記ディスプレイ装置は液晶表示装置及び有機発光表示装置を含むことができる。
【０００３】
前記ディスプレイ装置は、様々な映像を具現するために、互いに異なる色を具現する発光領域を含むことができる。例えば、前記ディスプレイ装置は、緑色を具現する緑色発光領域、赤色を具現する赤色発光領域、青色を具現する青色発光領域、及び白色を具現する白色発光領域を含むことができる。
【０００４】
前記ディスプレイ装置の各発光領域上には、特定の色の光を生成する発光構造物が位置し得る。互いに異なる発光領域上に位置する発光構造物は同じ色を具現することができる。例えば、前記ディスプレイ装置は、緑色発光領域上に位置する緑色カラーフィルター、赤色発光領域上に位置する赤色カラーフィルター、及び青色発光領域上に位置する青色カラーフィルターを含むことができる。
【０００５】
前記ディスプレイ装置の前記カラーフィルターは、前記発光領域の間に位置する非発光領域上で重なり合ってもよい。前記非発光領域上で重なり合ったカラーフィルターはブラックマトリックスとして機能することができる。前記ディスプレイ装置の製造方法は、ブラックマトリックスの形成工程を含まなくてもよい。
【０００６】
しかし、前記ディスプレイ装置では、カラーフィルターを隣接する他の発光領域上に形成しなくてはならないため、工程誤差を考慮して、前記カラーフィルターが当該発光領域の周辺の非発光領域を部分的に覆うように形成され得る。例えば、前記カラーフィルターは、各非発光領域の中心部でのみ積層され得る。このような構造により、前記ディスプレイ装置では、カラーフィルターが重なり合わない非発光領域に取り囲まれる白色発光領域に、隣接する発光領域で生成された光がカラーフィルターを通過していない状態で容易に流入し得る。したがって、前記ディスプレイ装置では、隣接する発光領域で生成された光がカラーフィルターを通過せずに、白色発光領域を介して放出される光漏れ現象が発生するという問題がある。
【発明の概要】
【発明が解決しようとする課題】
【０００７】
本発明が解決しようとする課題は、ブラックマトリックスの形成なしに、光漏れ現象を防止することができるディスプレイ装置を提供することである。
【０００８】
本発明が解決しようとする他の課題は、発光領域で生成された光がカラーフィルターを通過せずに白色発光領域を介して放出されることを防止することができるディスプレイ装置を提供することである。
【０００９】
本発明が解決しようとする課題は、以上で言及した課題に限定されない。ここで言及していない他の課題は、以下の記載から通常の技術者に明確に理解されるであろう。
【課題を解決するための手段】
【００１０】
上記解決しようとする課題を達成するための本発明の技術的思想によるディスプレイ装置は、表示領域を含む下部基板を含む。下部基板の表示領域上には、並んで位置する白色発光領域、第１非発光領域、第１発光領域、第２非発光領域及び第２発光領域を含む上部基板が配置される。上部基板の第１発光領域上には第１カラーフィルターが位置する。第１カラーフィルターは、第１非発光領域及び第２非発光領域上に延びる。上部基板の第２発光領域上には第２カラーフィルターが位置する。第２非発光領域上で第１カラーフィルターと第２カラーフィルターは重なる。上部基板の第１非発光領域上で第１カラーフィルターの水平長さは、上部基板の第２非発光領域上で第１カラーフィルターの水平長さよりも長い。
【００１１】
上部基板の第２非発光領域上で、第１カラーフィルターは上部基板と第２カラーフィルターとの間に位置してもよい。
【００１２】
第２非発光領域の水平長さは、第１非発光領域の水平長さと同一であってもよい。
【００１３】
第１カラーフィルターの最大水平長さは、第２カラーフィルターの最大水平長さよりも長くてもよい。
【００１４】
下部基板の表示領域と重なる上部基板の第３発光領域上には、第３カラーフィルターが位置してもよい。第３カラーフィルターは、白色発光領域と第３発光領域との間に位置する第３非発光領域上に延びてもよい。第３カラーフィルターは第１カラーフィルターと同じ物質を含むことができる。
【００１５】
上部基板の第３非発光領域上で、第３カラーフィルターの水平長さは上部基板の第１非発光領域上で第１カラーフィルターの水平長さと同一であってもよい。
【００１６】
第１発光領域の水平長さ及び第３発光領域の水平長さは、第２発光領域の水平長さよりも小さくてもよい。
【００１７】
白色発光領域の水平長さは、第２発光領域の水平長さと同一であってもよい。
【００１８】
第１発光領域の水平長さと第３発光領域の水平長さとの和は、第２発光領域の水平長さと同一であってもよい。
【００１９】
第１発光領域の水平長さは、第３発光領域の水平長さよりも小さくてもよい。
【００２０】
下部基板の表示領域の外側に位置する非表示領域上には下部整列キーが位置してもよい。上部基板上には、下部整列キーと整列する上部整列キーが位置してもよい。上部整列キーは第１カラーフィルターと同じ物質を含むことができる。
【００２１】
下部基板の表示領域上には、白色発光構造物、第１発光構造物、第２発光構造物、及びバンク絶縁膜が位置してもよい。白色発光構造物は、上部基板の白色発光領域と重なってもよい。第１発光構造物は、上部基板の第１発光領域と重なってもよい。第２発光構造物は、上部基板の第２発光領域と重なってもよい。バンク絶縁膜は、上部基板の第１非発光領域及び第２非発光領域と重なってもよい。白色発光構造物、第１発光構造物、及び第２発光構造物は白色発光層を含むことができる。
【００２２】
上記解決しようとする他の課題を達成するための本発明の技術的思想によるディスプレイ装置は、互いに異なる色を具現する白色発光領域、第１発光領域、及び第２発光領域が繰り返されて配置される第１行、並びに白色発光領域、第１発光領域、及び第２発光領域が第１行と同じ順序で配置される第２行を含む。前記第２行の発光領域は、第１行の発光領域とずれて位置する。白色発光領域は、第１発光領域によって取り囲まれる。
【００２３】
各行は、白色発光領域、第１発光領域、及び第２発光領域と異なる色を具現する第３発光領域をさらに含むことができる。第１発光領域は青色発光領域であってもよい。第２発光領域は緑色発光領域であってもよい。第３発光領域は赤色発光領域であってもよい。
【００２４】
白色発光領域の第１側面上に位置する第１発光領域の面積は、白色発光領域の第１側面と対向する第２側面上に位置する第１発光領域の面積と異なっていてもよい。
【発明の効果】
【００２５】
本発明の技術的思想によるディスプレイ装置は、ブラックマトリックスなしに、発光領域で生成された光がカラーフィルターを通過せずに白色発光領域を介して放出されることを防止することができる。これによって、本発明の技術的思想によるディスプレイ装置では、ブラックマトリックスの形成なしに、白色発光領域による光漏れ現象を防止することができる。したがって、本発明の技術的思想によるディスプレイ装置は、生産効率及び画質を向上させることができる。
【図面の簡単な説明】
【００２６】
【図１Ａ】本発明の実施例に係るディスプレイ装置の断面を概略的に示す図である。
【図１Ｂ】図１ＡのＫ領域を拡大した図である。
【図２】本発明の実施例に係るディスプレイ装置の表示領域の平面を概略的に示す図である。
【図３】本発明の他の実施例に係るディスプレイ装置の表示領域を示す図である。
【図４】本発明の他の実施例に係るディスプレイ装置の表示領域を示す図である。
【図５】本発明の他の実施例に係るディスプレイ装置の表示領域を示す図である。
【発明を実施するための形態】
【００２７】
本発明の上記目的、技術的構成及びそれによる作用効果に関する詳細な事項は、本発明の実施例を示している図面を参照した以下の詳細な説明によってさらに明確に理解されるであろう。ここで、本発明の実施例は、当業者に本発明の技術的思想を十分に伝達するために提供されるものであるため、本発明は、以下に説明される実施例に限定されないように他の形態に具体化することができる。
【００２８】
また、明細書全体において同一の参照番号で表示された部分は同一の構成要素を意味し、図中、層又は領域の長さ及び厚さは、便宜のために誇張されて表現され得る。なお、第１構成要素が第２構成要素の「上」にあると記載される場合、前記第１構成要素が前記第２構成要素と直接接触する上側に位置する場合のみならず、前記第１構成要素と前記第２構成要素との間に第３構成要素が位置する場合も含む。
【００２９】
ここで、前記第１、第２などの用語は様々な構成要素を説明するためのもので、一つの構成要素を他の構成要素から区別する目的で使用される。ただし、本発明の技術的思想を逸脱しない範囲では、第１構成要素と第２構成要素は当業者の便宜に応じて任意に命名することができる。
【００３０】
本発明の明細書で使用する用語は、単に特定の実施例を説明するために使用されるもので、本発明を限定しようとする意図ではない。例えば、単数で表現された構成要素は、文脈上明らかに単数のみを意味しない限り、複数の構成要素を含む。また、本発明の明細書において、「含む」又は「有する」などの用語は、明細書上に記載された特徴、数字、段階、動作、構成要素、部分品またはこれらを組み合わせたものが存在することを指定しようとするものであり、１つまたはそれ以上の他の特徴や数字、段階、動作、構成要素、部分品またはこれらを組み合わせたものの存在又は付加可能性を予め排除しないものと理解しなければならない。
【００３１】
なお、別に定義されない限り、技術的又は科学的な用語を含め、ここで使用される全ての用語は、本発明の属する技術分野における通常の知識を有する者によって一般的に理解される意味と同じ意味を有する。一般的に使用される辞書に定義されている用語は、関連技術の文脈上有する意味と一致する意味を有するものと解釈しなければならず、本発明の明細書で明確に定義しない限り、理想的又は過度に形式的な意味として解釈されない。
【００３２】
（実施例）
図１Ａは、本発明の実施例に係るディスプレイ装置の断面を概略的に示した図である。図１Ｂは、図１ＡのＫ領域を拡大した図である。図２は、本発明の実施例に係るディスプレイ装置の表示領域の平面を概略的に示した図である。
【００３３】
図１Ａ、図１Ｂ及び図２を参照すると、本発明の実施例に係るディスプレイ装置は、下部基板１１０、発光構造物１４０Ｇ，１４０Ｒ，１４０Ｂ，１４０Ｗ、上部基板２１０、及びカラーフィルター２２０Ｇ，２２０Ｒ，２２０Ｂを含むことができる。
【００３４】
前記下部基板１１０は前記発光構造物１４０Ｇ，１４０Ｒ，１４０Ｂ，１４０Ｗを支持することができる。前記下部基板１１０は絶縁性物質を含むことができる。例えば、前記下部基板１１０は、ガラス又はプラスチックを含むことができる。
【００３５】
前記下部基板１１０は、表示領域ＡＡ及び非表示領域ＮＡを含むことができる。前記下部基板１１０の前記非表示領域ＮＡは、前記下部基板１１０の前記表示領域ＡＡの外側に位置し得る。例えば、前記下部基板１１０の前記非表示領域ＮＡは、前記下部基板１１０の縁部の近くに位置し得る。
【００３６】
前記下部基板１１０の前記表示領域ＡＡは、発光領域ＧＥＡ，ＲＥＡ，ＢＥＡ，ＷＥＡ及び非発光領域ＮＥＡを含むことができる。前記非発光領域ＮＥＡは、前記発光領域ＧＥＡ，ＲＥＡ，ＢＥＡ，ＷＥＡの間に位置し得る。前記発光領域ＧＥＡ，ＲＥＡ，ＢＥＡ，ＷＥＡは、前記非発光領域ＮＥＡによって互いに分離され得る。前記非発光領域ＮＥＡは互いに接続され得る。
【００３７】
前記下部基板１１０は、互いに異なる色を具現する発光領域ＧＥＡ，ＲＥＡ，ＢＥＡ，ＷＥＡを含むことができる。例えば、前記下部基板１１０は、緑色を具現するための緑色発光領域ＧＥＡ、赤色を具現するための赤色発光領域ＲＥＡ、青色を具現するための青色発光領域ＢＥＡ、及び白色を具現するための白色発光領域ＷＥＡを含むことができる。前記緑色発光領域ＧＥＡの面積、前記赤色発光領域ＲＥＡの面積、前記青色発光領域ＢＥＡの面積、及び前記白色発光領域ＷＥＡの面積は同一であってもよい。
【００３８】
前記発光領域ＧＥＡ，ＲＥＡ，ＢＥＡ，ＷＥＡは、第１方向Ｘ、及び前記第１方向Ｘと垂直な第２方向Ｙに配列することができる。例えば、前記非発光領域ＮＥＡは、メッシュ（ｍｅｓｈ）状に位置してもよい。前記緑色発光領域ＧＥＡ、前記赤色発光領域ＲＥＡ、前記青色発光領域ＢＥＡ、及び前記白色発光領域ＷＥＡは、前記第１方向Ｘに同じ水平長さを有することができる。前記緑色発光領域ＧＥＡの前記第２方向Ｙへの水平長さ、前記赤色発光領域ＲＥＡの前記第２方向Ｙへの水平長さ、前記青色発光領域ＢＥＡの前記第２方向Ｙへの水平長さ、及び前記白色発光領域ＷＥＡの前記第２方向Ｙへの水平長さは同一であってもよい。例えば、前記緑色発光領域ＧＥＡ、前記赤色発光領域ＲＥＡ、前記青色発光領域ＢＥＡ、及び前記白色発光領域ＷＥＡは、同じ平面形状を有することができる。前記第１方向Ｘに隣接する前記発光領域ＧＥＡ，ＲＥＡ，ＢＥＡ，ＷＥＡの間において前記非発光領域ＮＥＡの前記第１方向Ｘへの水平長さは、前記第２方向Ｙに隣接する前記発光領域ＧＥＡ，ＲＥＡ，ＢＥＡ，ＷＥＡの間において前記非発光領域ＮＥＡの前記第２方向Ｙへの水平長さと同一であってもよい。
【００３９】
前記第１方向Ｘに配置された前記発光領域ＧＥＡ，ＲＥＡ，ＢＥＡ，ＷＥＡは、前記第２方向Ｙに配置された前記発光領域ＧＥＡ，ＲＥＡ，ＢＥＡ，ＷＥＡと異なる関係を有することができる。例えば、前記第１方向Ｘに隣接する発光領域ＧＥＡ，ＲＥＡ，ＢＥＡ，ＷＥＡは、互いに異なる色を具現することができる。前記第２方向Ｙに隣接する発光領域ＧＥＡ，ＲＥＡ，ＢＥＡ，ＷＥＡは、同じ色を具現することができる。前記第１方向Ｘに配列された前記発光領域ＧＥＡ，ＲＥＡ，ＢＥＡ，ＷＥＡは、行Ｒとして定義することができる。例えば、前記発光領域ＧＥＡ，ＲＥＡ，ＢＥＡ，ＷＥＡは、前記緑色発光領域ＧＥＡ、前記赤色発光領域ＲＥＡ、前記青色発光領域ＢＥＡ、及び前記白色発光領域ＷＥＡが同じ順序で繰り返される行Ｒを含むことができる。
【００４０】
前記白色発光領域ＷＥＡの周辺には、同じ色を具現する発光領域ＧＥＡ，ＲＥＡ，ＢＥＡ，ＷＥＡが配置され得る。例えば、前記発光領域ＧＥＡ，ＲＥＡ，ＢＥＡ，ＷＥＡの各行Ｒは、緑色発光領域ＧＥＡ、赤色発光領域ＲＥＡ、青色発光領域ＢＥＡ、白色発光領域ＷＥＡ、及び青色発光領域ＢＥＡの順に繰り返されてもよい。
【００４１】
本発明の実施例に係るディスプレイ装置は、前記下部基板１１０の前記表示領域ＡＡ上に位置する薄膜トランジスタ１２０をさらに含むことができる。前記発光領域ＧＥＡ，ＲＥＡ，ＢＥＡ，ＷＥＡは、前記薄膜トランジスタ１２０によって独立して駆動され得る。各薄膜トランジスタ１２０は、下部基板１１０と接触するゲート電極、前記ゲート電極上に位置するゲート絶縁膜、前記ゲート絶縁膜上に位置する半導体パターン、前記半導体パターンの一側領域と接続されるソース電極、及び前記半導体パターンの他側領域と接続されるドレイン電極を含むことができる。各薄膜トランジスタ１２０は、前記ソース電極と前記ドレイン電極との間で前記半導体パターンを覆うエッチストッパーをさらに含むことができる。
【００４２】
本発明の実施例に係るディスプレイ装置は、薄膜トランジスタ１２０が下部基板１１０と直接接触するものとして説明される。しかし、本発明の他の実施例に係るディスプレイ装置は、下部基板１１０と薄膜トランジスタ１２０との間に位置するバッファ層をさらに含むことができる。前記バッファ層は絶縁性物質を含むことができる。例えば、前記バッファ層はシリコン酸化物を含むことができる。
【００４３】
本発明の実施例に係るディスプレイ装置は、各薄膜トランジスタのゲート電極が下部基板１１０の近くに位置するものとして説明される。しかし、本発明の他の実施例に係るディスプレイ装置は、半導体パターンとソース電極及びドレイン電極との間にゲート電極が位置する薄膜トランジスタ１２０を含むことができる。
【００４４】
本発明の実施例に係るディスプレイ装置は、薄膜トランジスタ１２０上に位置する平坦化膜１３０をさらに含むことができる。前記平坦化膜１３０は、前記薄膜トランジスタ１２０による段差を除去することができる。例えば、前記平坦化膜１３０の上部面は前記下部基板１１０の上部面と平行であってもよい。前記平坦化膜１３０は絶縁性物質を含むことができる。例えば、前記平坦化膜１３０はシリコン酸化物を含むことができる。
【００４５】
本発明の実施例に係るディスプレイ装置は、薄膜トランジスタ１２０が平坦化膜１３０と直接接触するものとして説明される。しかし、本発明の他の実施例に係るディスプレイ装置は、薄膜トランジスタ１２０と平坦化膜１３０との間に位置する下部保護膜をさらに含むことができる。前記下部保護膜は絶縁性物質を含むことができる。前記下部保護膜は、前記平坦化膜１３０と異なる物質を含むことができる。例えば、前記下部保護膜はシリコン窒化物を含むことができる。
【００４６】
前記発光構造物１４０Ｇ，１４０Ｒ，１４０Ｂ，１４０Ｗは、それぞれ、特定の色を具現する光を生成することができる。例えば、それぞれの発光構造物１４０Ｇ，１４０Ｒ，１４０Ｂ，１４０Ｗは、順に積層された下部電極１４１Ｇ，１４１Ｒ，１４１Ｂ，１４１Ｗ、発光層１４２及び上部電極１４３を含むことができる。
【００４７】
前記発光構造物１４０Ｇ，１４０Ｒ，１４０Ｂ，１４０Ｗは、前記下部基板１１０の前記表示領域ＡＡ上に位置し得る。各発光構造物１４０Ｇ，１４０Ｒ，１４０Ｂ，１４０Ｗは、前記下部基板１１０の前記発光領域ＧＥＡ，ＲＥＡ，ＢＥＡ，ＷＥＡのうちの１つと重なり得る。例えば、前記発光構造物１４０Ｇ，１４０Ｒ，１４０Ｂ，１４０Ｗは、前記緑色発光領域ＧＥＡと重なる緑色発光構造物１４０Ｇ、前記赤色発光領域ＲＥＡと重なる赤色発光構造物１４０Ｒ、前記青色発光領域ＢＥＡと重なる青色発光構造物１４０Ｂ、及び前記白色発光領域ＷＥＡと重なる白色発光構造物１４０Ｗを含むことができる。
【００４８】
前記発光構造物１４０Ｇ，１４０Ｒ，１４０Ｂ，１４０Ｗは、前記薄膜トランジスタ１２０によって選択的に動作することができる。例えば、各発光構造物１４０Ｇ，１４０Ｒ，１４０Ｂ，１４０Ｗの下部電極１４１Ｇ，１４１Ｒ，１４１Ｂ，１４１Ｗは当該薄膜トランジスタ１２０と電気的に接続されてもよい。前記発光構造物１４０Ｇ，１４０Ｒ，１４０Ｂ，１４０Ｗは、前記平坦化膜１３０上に位置し得る。例えば、前記平坦化膜１３０は、前記薄膜トランジスタ１２０のそれぞれのドレイン電極を露出させるコンタクトホールを含むことができる。
【００４９】
前記下部電極１４１Ｇ，１４１Ｒ，１４１Ｂ，１４１Ｗは、反射率の高い物質を含むことができる。例えば、前記下部電極１４１Ｇ，１４１Ｒ，１４１Ｂ，１４１Ｗは、アルミニウム（Ａｌ）及び銀（Ａｇ）のような金属を含むことができる。前記下部電極１４１Ｇ，１４１Ｒ，１４１Ｂ，１４１Ｗは多重層構造であってもよい。例えば、前記下部電極１４１Ｇ，１４１Ｒ，１４１Ｂ，１４１Ｗは、ＩＴＯ又はＩＺＯなどのような透明導電性物質を含む透明電極の間に反射率の高い物質を含む反射電極が位置する構造であってもよい。
【００５０】
各発光構造物１４０Ｇ，１４０Ｒ，１４０Ｂ，１４０Ｗの下部電極１４１Ｇ，１４１Ｒ，１４１Ｂ，１４１Ｗは、隣接する発光構造物１４０Ｇ，１４０Ｒ，１４０Ｂ，１４０Ｗの下部電極１４１Ｇ，１４１Ｒ，１４１Ｂ，１４１Ｗと離隔及び絶縁され得る。例えば、本発明の実施例に係るディスプレイ装置は、隣接する下部電極１４１Ｇ，１４１Ｒ，１４１Ｂ，１４１Ｗの間の空間を満たすバンク絶縁膜１５０をさらに含むことができる。
【００５１】
前記バンク絶縁膜１５０は、各下部電極１４１Ｇ，１４１Ｒ，１４１Ｂ，１４１Ｗの縁部を覆うことができる。前記発光層１４２及び前記上部電極１４３は、前記バンク絶縁膜１５０によって露出した当該下部電極１４１Ｇ，１４１Ｒ，１４１Ｂ，１４１Ｗの表面上に積層することができる。前記バンク絶縁膜１５０は、前記下部基板１１０の前記非発光領域ＮＥＡと重なり得る。前記下部基板１１０の前記発光領域ＧＥＡ，ＲＥＡ，ＢＥＡ，ＷＥＡは、前記バンク絶縁膜１５０の間に位置する前記下部電極１４１Ｇ，１４１Ｒ，１４１Ｂ，１４１Ｗと重なり得る。前記下部基板１１０の前記発光領域ＧＥＡ，ＲＥＡ，ＢＥＡ，ＷＥＡは、前記バンク絶縁膜１５０によって定義され得る。
【００５２】
前記バンク絶縁膜１５０は絶縁性物質を含むことができる。例えば、前記バンク絶縁膜１５０は、ベンゾシクロブテン（ＢＣＢ）、ポリイミド（ｐｏｌｙ−ｉｍｉｄｅ）及びフォトアクリル（ｐｈｏｔｏ  ａｃｒｙｌ）などのような有機絶縁物質を含むことができる。
【００５３】
前記発光層１４２は、当該下部電極１４１Ｇ，１４１Ｒ，１４１Ｂ，１４１Ｗと前記上部電極１４３との電圧差に対応する輝度の光を生成することができる。前記発光層１４２は、前記バンク絶縁膜１５０上に延びることができる。例えば、隣接する発光構造物１４０Ｇ，１４０Ｒ，１４０Ｂ，１４０Ｗの前記発光層１４２は互いに連結されてもよい。前記発光構造物１４０Ｇ，１４０Ｒ，１４０Ｂ，１４０Ｗは、同じ色を具現する光を生成することができる。例えば、前記発光層１４２は、白色を具現する光を生成する白色発光層であってもよい。
【００５４】
本発明の実施例に係るディスプレイ装置は、発光構造物１４０Ｇ，１４０Ｒ，１４０Ｂ，１４０Ｗが、同じ発光層１４２を含むものとして説明される。しかし、本発明の他の実施例に係るディスプレイ装置は、各発光構造物１４０Ｇ，１４０Ｒ，１４０Ｂ，１４０Ｗが、互いに異なる物質を含む発光層１４２を含むことができる。例えば、本発明の他の実施例に係るディスプレイ装置は、緑色を具現する光を生成する緑色発光層を含む緑色発光構造物１４０Ｇ、赤色を具現する光を生成する赤色発光層を含む赤色発光構造物１４０Ｒ、青色を具現する光を生成する青色発光層を含む青色発光構造物１４０Ｂ、及び白色を具現する光を生成する白色発光層を含む白色発光構造物１４０Ｗを含むことができる。
【００５５】
前記発光層１４２は、発光物質を含む発光物質層（Ｅｍｉｔｔｉｎｇ  Ｍａｔｅｒｉａｌ  Ｌａｙｅｒ；ＥＭＬ）を含むことができる。前記発光物質は、有機物質、無機物質又はハイブリッド物質を含むことができる。例えば、本発明の実施例に係るディスプレイ装置は、有機発光層１４２を含む有機発光表示装置であってもよい。
【００５６】
前記発光層１４２は、発光効率を高めるために多重層構造であってもよい。例えば、前記発光層１４２は、正孔注入層（Ｈｏｌｅ  Ｉｎｊｅｃｔｉｏｎ  Ｌａｙｅｒ；ＨＩＬ）、正孔輸送層（Ｈｏｌｅ  Ｔｒａｎｓｐｏｒｔ  Ｌａｙｅｒ；ＨＴＬ）、電子輸送層（Ｅｌｅｃｔｒｏｎ  Ｔｒａｎｓｐｏｒｔ  Ｌａｙｅｒ；ＥＴＬ）及び電子注入層（Ｅｌｅｃｔｒｏｎ  Ｉｎｊｅｃｔｉｏｎ  Ｌａｙｅｒ；ＥＩＬ）のうち少なくとも１つをさらに含むことができる。
【００５７】
前記上部電極１４３は導電性物質を含むことができる。前記上部電極１４３は、前記下部電極１４１Ｇ，１４１Ｒ，１４１Ｂ，１４１Ｗと異なる物質を含むことができる。例えば、前記上部電極１４３は、ＩＴＯ及びＩＺＯなどのような透明な物質を含む透明電極であってもよい。前記発光層１４２によって生成された光は、前記上部電極１４３の方向に放出され得る。
【００５８】
前記上部電極１４３は前記発光層１４２に沿って延びることができる。例えば、前記上部電極１４３は、前記バンク絶縁膜１５０上に延びてもよい。前記発光構造物１４０Ｇ，１４０Ｒ，１４０Ｂ，１４０Ｗは、同じ上部電極１４３を含むことができる。
【００５９】
本発明の実施例に係るディスプレイ装置は、前記発光構造物１４０Ｇ，１４０Ｒ，１４０Ｂ，１４０Ｗ上に位置する素子保護膜１６０をさらに含むことができる。前記素子保護膜１６０は、外部衝撃及び異物の浸透から前記薄膜トランジスタ１２０及び前記発光構造物１４０Ｇ，１４０Ｒ，１４０Ｂ，１４０Ｗを保護することができる。前記素子保護膜１６０は絶縁性物質を含むことができる。例えば、前記素子保護膜１６０は、シリコン酸化物及び／又はシリコン窒化物を含むことができる。前記素子保護膜１６０は多重層構造であってもよい。
【００６０】
本発明の実施例に係るディスプレイ装置は、前記下部基板１１０の前記非表示領域ＮＡ上に位置する下部整列キー１００ＡＫをさらに含むことができる。前記下部整列キー１００ＡＫは、前記薄膜トランジスタ１２０及び／又は前記発光構造物１４０Ｇ，１４０Ｒ，１４０Ｂ，１４０Ｗを形成する工程において前記下部基板１１０を整列するために使用することができる。前記下部整列キー１００ＡＫは、前記薄膜トランジスタ１２０及び／又は前記発光構造物１４０Ｇ，１４０Ｒ，１４０Ｂ，１４０Ｗを構成する物質のうち少なくとも１つを含むことができる。例えば、前記下部整列キー１００ＡＫは、前記ゲート電極、前記ソース／ドレイン電極及び前記下部電極１４１Ｇ，１４１Ｒ，１４１Ｂ，１４１Ｗのうち少なくとも１つと同一の物質を含むことができる。
【００６１】
前記上部基板２１０は、前記下部基板１１０と対向するように位置し得る。例えば、前記上部基板２１０は、前記発光構造物１４０Ｇ，１４０Ｒ，１４０Ｂ，１４０Ｗ上に位置してもよい。前記上部基板２１０は絶縁性物質を含むことができる。前記上部基板２１０は、透明な物質を含むことができる。例えば、前記上部基板２１０は、ガラス又はプラスチックを含むことができる。
【００６２】
前記上部基板２１０は、表示領域ＡＡ及び非表示領域ＮＡを含むことができる。前記上部基板２１０の前記表示領域ＡＡは前記下部基板１１０の前記表示領域ＡＡと重なり得る。前記上部基板２１０の前記非表示領域ＮＡは、前記上部基板２１０の前記表示領域ＡＡの外側に位置し得る。例えば、前記上部基板２１０の前記非表示領域ＮＡは、前記上部基板２１０の縁部の近く位置してもよい。前記上部基板２１０の前記非表示領域ＮＡは、前記下部基板１１０の前記非表示領域ＮＡと重なり得る。
【００６３】
前記上部基板２１０の前記表示領域ＡＡは、発光領域ＧＥＡ，ＲＥＡ，ＢＥＡ，ＷＥＡ及び非発光領域ＮＥＡを含むことができる。前記上部基板２１０の前記発光領域ＧＥＡ，ＲＥＡ，ＢＥＡ，ＷＥＡは、前記下部基板１１０の前記発光領域ＧＥＡ，ＲＥＡ，ＢＥＡ，ＷＥＡと重なり得る。例えば、前記上部基板２１０の前記発光領域ＧＥＡ，ＲＥＡ，ＢＥＡ，ＷＥＡは、緑色発光領域ＧＥＡ、赤色発光領域ＲＥＡ、青色発光領域ＢＥＡ、及び白色発光領域ＷＥＡを含むことができる。前記上部基板２１０の前記非発光領域ＮＥＡは、前記上部基板２１０の前記発光領域ＧＥＡ，ＲＥＡ，ＢＥＡ，ＷＥＡの間に位置し得る。前記上部基板２１０の前記非発光領域ＮＥＡは、前記下部基板１１０の前記非発光領域ＮＥＡと重なり得る。
【００６４】
前記上部基板２１０の前記発光領域ＧＥＡ，ＲＥＡ，ＢＥＡ，ＷＥＡは、前記下部基板１１０の前記発光領域ＧＥＡ，ＲＥＡ，ＢＥＡ，ＷＥＡと同一に配置することができる。例えば、前記上部基板２１０は、緑色発光領域ＧＥＡ、赤色発光領域ＲＥＡ、青色発光領域ＢＥＡ、白色発光領域ＷＥＡ及び青色発光領域ＢＥＡの順に繰り返される行Ｒを含むことができる。
【００６５】
前記カラーフィルター２２０Ｇ，２２０Ｒ，２２０Ｂは、前記下部基板１１０に向かう前記上部基板２１０の下部面上に位置し得る。前記カラーフィルター２２０Ｇ，２２０Ｒ，２２０Ｂは、前記発光構造物１４０Ｇ，１４０Ｒ，１４０Ｂ，１４０Ｗと前記上部基板２１０との間に位置し得る。前記カラーフィルター２２０Ｇ，２２０Ｒ，２２０Ｂは、前記発光構造物１４０Ｇ，１４０Ｒ，１４０Ｂ，１４０Ｗと重なり得る。例えば、前記カラーフィルター２２０Ｇ，２２０Ｒ，２２０Ｂは、前記緑色発光構造物１４０Ｇ上に位置する緑色カラーフィルター２２０Ｇ、前記赤色発光構造物１４０Ｒ上に位置する赤色カラーフィルター２２０Ｒ、及び前記青色発光構造物１４０Ｂ上に位置する青色カラーフィルター２２０Ｂを含むことができる。前記白色発光構造物１４０Ｗと重なる前記上部基板２１０の下部面は、前記カラーフィルター２２０Ｇ，２２０Ｒ，２２０Ｂによって露出し得る。
【００６６】
前記カラーフィルター２２０Ｇ，２２０Ｒ，２２０Ｂは、隣接する非発光領域ＮＥＡ上に延びることができる。前記上部基板２１０の前記非発光領域ＮＥＡ上において隣接するカラーフィルター２２０Ｇ，２２０Ｒ，２２０Ｂは重なり合うことができる。前記上部基板２１０の前記非発光領域ＮＥＡ上で積層されたカラーフィルター２２０Ｇ，２２０Ｒ，２２０Ｂは、ブラックマトリックスの役割を果たすことができる。例えば、各発光構造物１４０Ｇ，１４０Ｒ，１４０Ｂ，１４０Ｗで生成された光は、前記上部基板２１０の前記非発光領域ＮＥＡ上に積層されたカラーフィルター２２０Ｇ，２２０Ｒ，２２０Ｂによって、隣接する発光領域ＧＥＡ，ＲＥＡ，ＢＥＡ，ＷＥＡに流入しなくなる。
【００６７】
本発明の実施例に係るディスプレイ装置は、前記上部基板２１０の前記非表示領域ＮＡ上に位置する上部整列キー２２０ＡＫをさらに含むことができる。前記上部整列キー２２０ＡＫは、前記上部基板２１０を前記下部基板１１０と貼り合わせる工程に使用することができる。例えば、前記下部基板１１０と前記上部基板２１０との貼り合わせ工程は、前記下部整列キー１００ＡＫ及び前記上部整列キー２２０ＡＫを用いて前記上部基板２１０の位置を調節する工程を含むことができる。
【００６８】
前記上部整列キー２２０ＡＫは、前記下部整列キー１００ＡＫと整列し得る。例えば、前記上部基板２１０の前記上部整列キー２２０ＡＫは、前記下部基板１１０の前記下部整列キー１００ＡＫと重なってもよい。
【００６９】
前記上部整列キー２２０ＡＫは、２番目及び３番目に形成されるカラーフィルター２２０Ｇ，２２０Ｒ，２２０Ｂのために前記上部基板２１０を整列する工程に使用することができる。例えば、前記上部整列キー２２０ＡＫは、１番目に形成されるカラーフィルター２２０Ｇ，２２０Ｒ，２２０Ｂと同時に形成されてもよい。前記上部整列キー２２０ＡＫは、１番目に形成されるカラーフィルター２２０Ｇ，２２０Ｒ，２２０Ｂと同じ物質を含むことができる。
【００７０】
前記上部整列キー２２０ＡＫは、前記青色カラーフィルター２２０Ｂと同じ物質を含むことができる。本発明の実施例に係るディスプレイ装置は、カラーフィルター２２０Ｇ，２２０Ｒ，２２０Ｂのうち、白色発光領域ＷＥＡの周辺に位置する青色発光領域ＢＥＡを覆う青色カラーフィルター２２０Ｂが最も先に形成され得る。前記青色発光領域ＢＥＡと前記緑色発光領域ＧＥＡ又は前記赤色発光領域ＲＥＡとの間に位置する非発光領域ＮＥＡ上で、前記青色カラーフィルター２２０Ｂは、前記上部基板２１０と前記緑色カラーフィルター２２０Ｇ又は前記赤色カラーフィルター２２０Ｒとの間に位置し得る。すなわち、本発明の実施例に係るディスプレイ装置は、青色カラーフィルター２２０Ｂが、カラーフィルター２２０Ｇ，２２０Ｒ，２２０Ｂの重なる面積及びこれに対する工程誤差を考慮せずに形成され得る。例えば、本発明の実施例に係るディスプレイ装置では、青色カラーフィルター２２０Ｂが、白色発光領域ＷＥＡの近くに位置する非発光領域ＮＥＡ上に相対的に長く延びるように形成され得る。前記白色発光領域ＷＥＡと前記青色発光領域ＢＥＡとの間に位置する非発光領域ＮＥＡ上で前記青色カラーフィルター２２０Ｂの水平長さＷ２は、前記緑色発光領域ＧＥＡと前記青色発光領域ＢＥＡとの間に位置する非発光領域ＮＥＡ上で前記青色カラーフィルター２２０Ｂの水平長さＷ１よりも長くすることができる。これによって、本発明の実施例に係るディスプレイ装置は、青色発光構造物１４０Ｂによって生成されて上部基板２１０の白色発光領域ＷＥＡの方向に進む光が、前記白色発光領域ＷＥＡと前記青色発光領域ＢＥＡとの間に位置する非発光領域ＮＥＡ上に形成された青色カラーフィルター２２０Ｂを通過することができる。すなわち、本発明の実施例に係るディスプレイ装置では、青色発光構造物１４０Ｂによって生成されて青色発光領域ＢＥＡ又は白色発光領域ＷＥＡを介して放出される光が全て青色カラーフィルター２２０Ｂを通過することができる。したがって、本発明の実施例に係るディスプレイ装置では、ブラックマトリックスなしに、白色発光領域ＷＥＡによる光漏れ現象を防止することができる。
【００７１】
本発明の実施例に係るディスプレイ装置は、青色発光領域ＢＥＡが白色発光領域ＷＥＡの周辺に配置されるものとして説明される。しかし、本発明の他の実施例に係るディスプレイ装置では、白色発光領域ＷＥＡが緑色発光領域ＧＥＡ又は赤色発光領域ＲＥＡによって取り囲まれ、緑色カラーフィルター２２０Ｇ又は赤色カラーフィルター２２０Ｒが１番目に形成されてもよい。
【００７２】
本発明の実施例に係るディスプレイ装置は、前記第２方向Ｙに同じ色を具現する発光領域ＧＥＡ，ＲＥＡ，ＢＥＡ，ＷＥＡが配置され得る。これによって、本発明の実施例に係るディスプレイ装置においては、前記第２方向Ｙに隣接する発光領域ＧＥＡ，ＲＥＡ，ＢＥＡ，ＷＥＡの間に位置する非発光領域ＮＥＡは、当該カラーフィルター２２０Ｇ，２２０Ｒ，２２０Ｂによって完全に覆われ得る。
【００７３】
本発明の実施例に係るディスプレイ装置は、素子保護膜１６０とカラーフィルター２２０Ｇ，２２０Ｒ，２２０Ｂとの間に位置する接着層をさらに含むことができる。前記接着層は、前記素子保護膜１６０と前記上部基板２１０との間の空間を完全に充填することができる。前記上部基板２１０は、前記接着層によって前記下部基板１１０上に付着することができる。
【００７４】
結果的に、本発明の実施例に係るディスプレイ装置は、白色発光領域ＷＥＡに隣接して、１番目に形成されるカラーフィルター２２０Ｇ，２２０Ｒ，２２０Ｂによって覆われる発光領域ＧＥＡ，ＲＥＡ，ＢＥＡを配置して、前記白色発光領域ＷＥＡの周辺に位置する非発光領域ＮＥＡ上で当該カラーフィルター２２０Ｇ，２２０Ｒ，２２０Ｂが相対的に長く延びることができるようにすることによって、前記白色発光領域ＷＥＡによる光漏れ現象を防止することができる。
【００７５】
本発明の実施例に係るディスプレイ装置は、白色発光領域ＷＥＡの周辺に位置する青色発光領域ＢＥＡが、緑色発光領域ＧＥＡ及び赤色発光領域ＲＥＡと同じ水平長さ及び面積を有するものとして説明される。しかし、図３に示したように、本発明の他の実施例に係るディスプレイ装置は、白色発光領域ＷＥＡの周辺に位置する青色発光領域ＢＥＡの水平長さ及び／又は面積が、緑色発光領域ＧＥＡ及び赤色発光領域ＲＥＡの水平長さ及び／又は面積よりも小さくてもよい。本発明の他の実施例に係るディスプレイ装置において、赤色発光領域ＲＥＡの水平長さ及び面積は、緑色発光領域ＧＥＡの水平長さ及び面積と同一であってもよい。本発明の他の実施例に係るディスプレイ装置において、白色発光領域ＷＥＡは、緑色発光領域ＧＥＡ及び赤色発光領域ＲＥＡと同じ水平長さ及び面積を有することができる。本発明の他の実施例に係るディスプレイ装置において、白色発光領域ＷＥＡの周辺に位置する２つの青色発光領域ＢＥＡの面積の和は、緑色発光領域ＧＥＡの面積と同一であってもよい。本発明の他の実施例に係るディスプレイ装置において、白色発光領域ＷＥＡの周辺に位置する２つの青色発光領域ＢＥＡの水平長さの和は、緑色発光領域ＧＥＡの水平長さと同一であってもよい。
【００７６】
本発明の実施例に係るディスプレイ装置は、白色発光領域ＷＥＡの第１側面上に位置する青色発光領域ＢＥＡの水平長さ及び面積が、前記白色発光領域ＷＥＡの前記第１側面と対向する第２側面上に位置する青色発光領域ＢＥＡの水平長さ及び面積と同一であるものとして説明される。しかし、図４に示したように、本発明の他の実施例に係るディスプレイ装置は、白色発光領域ＷＥＡの前記第１側面上に位置する青色発光領域ＢＥＡの水平長さ及び／又は面積が、前記白色発光領域ＷＥＡの前記第２側面上に位置する青色発光領域ＢＥＡの水平長さ及び／又は面積と異なってもよい。本発明の他の実施例に係るディスプレイ装置は、白色発光領域ＷＥＡの前記第１側面上に位置する青色発光領域ＢＥＡ及び前記第２側面上に位置する青色発光領域ＢＥＡが、それぞれ緑色発光領域ＧＥＡ及び赤色発光領域ＲＥＡよりも小さい水平長さ及び／又は面積を有してもよい。
【００７７】
本発明の実施例に係るディスプレイ装置は、第２方向Ｙに隣接する発光領域ＧＥＡ，ＲＥＡ，ＢＥＡ，ＷＥＡが同じ色を具現するものとして説明される。しかし、図５に示したように、本発明の他の実施例に係るディスプレイ装置は、同じ順序で繰り返される第１行Ｒ１及び第２行Ｒ２を含み、前記第２行Ｒ２の発光領域ＧＥＡ，ＲＥＡ，ＢＥＡ，ＷＥＡが前記第１行Ｒ１の発光領域ＧＥＡ，ＲＥＡ，ＢＥＡ，ＷＥＡとずれて配置されてもよい。これによって、本発明の他の実施例に係るディスプレイ装置では、白色発光領域ＷＥＡの４つの側面上に、１番目に形成される青色発光領域ＢＥＡが位置し得る。したがって、本発明の他の実施例に係るディスプレイ装置では、ブラックマトリックスの形成なしに、白色発光領域ＷＥＡによる光漏れ現象を効果的に防止することができる。
【符号の説明】
【００７８】
１００ＡＫ    下部整列キー
１１０    下部基板
１２０    薄膜トランジスタ
１３０    平坦化膜
１４０Ｇ、１４０Ｒ、１４０Ｂ、１４０Ｗ    発光構造物
２００ＡＫ    上部整列キー
２１０    上部基板
２２０Ｇ、２２０Ｒ、２２０Ｂ    カラーフィルター
【図１Ａ】
2018073825.tif 000003
【図１Ｂ】
2018073825.tif 000004
【図２】
2018073825.tif 000005
【図３】
2018073825.tif 000006
【図４】
2018073825.tif 000007
【図５】
2018073825.tif 000008